(57)【特許請求の範囲】
【請求項１】
軸長方向にコルゲート状ドレインホースをそれぞれ挿入脱可能な第１及び第２挿入空間を有する一方開口型の筒部と、
前記ドレインホースからの水を排水処理部材側へと導く本体部と、を有し、
前記筒部が、前記本体部の上側に立ち上がり、
前記第１挿入空間及び第２挿入空間が、前記本体部の水の導き方向に並んで配置されており、
前記筒部の内周面には、前記第１及び第２挿入空間に挿入されるコルゲート状ドレインホースの外周面に食い込むリブ部が突設され、前記リブ部が、筒部の軸長方向に延びる長状の突部である、コルゲート状ドレインホース接続具。
【請求項２】
前記本体部が、設置部を有し、
前記リブ部が前記筒部内における設置部の上面に至るまで形成されている、請求項１に記載のコルゲート状ドレインホース接続具。
【請求項３】
前記リブ部が、第１挿入空間に対応して、少なくとも３つ設けられており、
前記３つのリブ部が第１挿入空間に挿入されるコルゲート状ドレインホースの３方から食い込むように配置されている、請求項１または２に記載のコルゲート状ドレインホース接続具。
【請求項４】
前記筒部の内周面が、水の導き方向を長手とする略長方形状に形成されており、
前記内周面を構成する一対の長手面に、１本のコルゲート状ドレインホースの下端部を折り曲げて挿入したときに、その下端部の外周面に食い込むリブ部が設けられている、請求項１〜３のいずれか一項に記載のコルゲート状ドレインホース接続具。
【請求項５】
前記リブ部が、前記リブ部の上端部から下端部にかけて下方に向かうに従って突出量が大きくなる傾斜面を有する、請求項１〜４のいずれかに記載のコルゲート状ドレインホース接続具。
【請求項６】
請求項１〜５のいずれか一項に記載のコルゲート状ドレインホース接続具と、床面に敷設された排水処理部材と、を有し、
前記排水処理部材を通じて、ドレイン水が所定の箇所へ導かれる、排水処理構造。
【発明の詳細な説明】
【技術分野】
【０００１】
本発明は、コルゲート状ドレインホースから流れ出るドレイン水を所定の箇所へ導く排水処理部材に、前記ドレインホースを接続するために用いられる、コルゲート状ドレインホース接続具及びそれを用いた排水処理構造に関する。
【背景技術】
【０００２】
マンションなどの集合住宅の共同廊下やベランダなどに設置された空調機の室内機で発生した水は、ドレインホースによってドレイン水として排出されている。このドレイン水が、前記共同廊下やベランダ、その他構造物の下地などの各種床面上に流れると、床面に汚れやシミが生じたり、或いは、カビが発生する原因となる。
かかる実態に鑑み、従来より、ドレイン水を排水路などの所定の箇所へ導くために、床面に施工する排水処理部材が提供されている。この排水処理部材にドレインホースの端部を接続するために、ドレインホース接続具が前記排水処理部材に取り付けられる。
【０００３】
例えば、特許文献１には、鉛直上方に立ち上がる上端にホース差込口を備えたホース保持筒と、ホース保持筒の内面から突き出すホース抜止部と、ホース保持筒の下端両側に形成された支持脚と、からなるドレインホース接続具が開示されている。
このホース保持筒は、ドレインホースを横並びに保持できるように、そのホース差込口が左右に並んだ横長状に形成されている。また、前記ホース抜止部は、保持筒の周方向に延びる、平面視コ字形の長状突起からなる。
【０００４】
特許文献１のドレインホース接続具を用いれば、ホース保持筒に２本のドレインホースを接続でき、また、コルゲート状のドレインホースを保持筒に差し込んだ際には、コ字形の長状突起がコルゲート状ドレインホースの谷部に係合するので、ドレインホースが抜け出ることを防止できる。
【０００５】
しかしながら、上記ドレインホース接続具においては、コ字形の長状突起が設けられているので、ドレインホースを差し込み難いという問題点がある。
さらに、差し込んだ後のドレインホースは、その谷部にコ字状の長状突起が係合するので、ドレインホースを引き抜くことは極めて困難である。このため、例えば、空調機の移転、保持筒内に溜まった粉塵の除去などのため、ドレインホースをドレインホース接続具から引き抜こうとしても容易には抜けず、無理に取り外そうとすると、ドレインホース又は接続具が破損するおそれがある。
【０００６】
さらに、特許文献１には、上記ドレインホース接続具に１本のドレインホースを保持させた場合、ホース保持筒内へゴミが入り込むことを防止するため、ホース保持筒のホース差込口の半分に蓋部材を差し込むことが開示されている。
しかしながら、実際の施工現場においては、このような蓋部材が設計通りに嵌まらない場合もあり、また、ドレインホース接続具に運搬荷物が当たる或いは子供の悪戯などによって、蓋部材が外れてしまうことも想定される。
【０００７】
このような点から、本発明者らは、ホース保持筒内に１本のドレインホースを保持させつつホース差込口の略全体を塞ぐように、１本のドレインホースを略直角に曲げてホース保持筒内に挿入することを検討した。
しかしながら、上記ドレインホース接続具は、ホース保持筒の内面にコ字形の長状突起が突出しているので、略直角に曲げたドレインホースをホース保持筒内に入れ難い。さらに、上記ドレインホース接続具のホース保持筒は、ホース差込口が左右に並んだ横長状に形成されているので、そのホース保持筒内に１本のドレインホースを略直角に曲げて挿入すると、ドレインホースの下端がホース保持筒の内面横側に当たり、ドレインホースから流れ出るドレイン水が排水処理部材へと円滑に流れないという問題点もある。
【先行技術文献】
【特許文献】
【０００８】
【特許文献１】特開２００９−２６４４６１号公報
【発明の概要】
【発明が解決しようとする課題】
【０００９】
本発明の目的は、１本又は２本のコルゲート状ドレインホースを容易に出し入れでき、取り付けたドレインホースを保持でき、さらに、ドレイン水を排水処理部材へ円滑に導くことができるコルゲート状ドレインホース接続具を提供することである。
【課題を解決するための手段】
【００１０】
本発明のコルゲート状ドレインホース接続具は、軸長方向にコルゲート状ドレインホースをそれぞれ挿入脱可能な第１及び第２挿入空間を有する一方開口型の筒部と、前記ドレインホースからの水を排水処理部材側へと導く本体部と、を有し、前記筒部が、前記本体部の上側に立ち上がり、前記第１挿入空間及び第２挿入空間が、前記本体部の水の導き方向に並んで配置されており、前記筒部の内周面には、前記第１及び第２挿入空間に挿入されるコルゲート状ドレインホースの外周面に食い込むリブ部が突設され、前記リブ部が、筒部の軸長方向に延びる長状の突部である。
【００１１】
本発明の好ましいコルゲート状ドレインホース接続具は、前記本体部が、設置部を有し、前記リブ部が前記筒部内における設置部の上面に至るまで形成されている。
【００１２】
本発明の好ましいコルゲート状ドレインホース接続具は、前記リブ部が、第１挿入空間に対応して、少なくとも３つ設けられており、前記３つのリブ部が第１挿入空間に挿入されるドレインホースの３方から食い込むように配置されている。
【００１３】
本発明の好ましいコルゲート状ドレインホース接続具は、前記筒部の内周面が、水の導き方向を長手とする略長方形状に形成されており、前記内周面を構成する一対の長手面に、１本のドレインホースの下端部を折り曲げて挿入したときに、その下端部の外周面に食い込むリブ部が設けられている。
【００１４】
本発明の好ましいコルゲート状ドレインホース接続具は、前記リブ部が、前記リブ部の上端部から下端部にかけて下方に向かうに従って突出量が大きくなる傾斜面を有する。
【００１５】
本発明の別の局面によれば、排水処理構造を提供する。
この排水処理構造は、前記いずれかのコルゲート状ドレインホース接続具と、床面に敷設された排水処理部材と、を有し、前記排水処理部材を通じて、ドレイン水が所定の箇所へ導かれる。
【発明の効果】
【００１６】
本発明のコルゲート状ドレインホース接続具は、コルゲート状ドレインホースを差し込み易く、また、差し込んだ後の２本のコルゲート状ドレインホースを容易に取り外すこともできる。
さらに、本発明のコルゲート状ドレインホース接続具を用いれば、２本のコルゲート状ドレインホースを差し込んだ場合でも、１本のコルゲート状ドレインホースを差し込んだ場合でも、ドレイン水を排水処理部材へ円滑に導くことができる。
【図面の簡単な説明】
【００１７】
【図１】本発明のドレインホース接続具の斜視図。
【図２】同ドレインホース接続具の右側面図。
【図３】同ドレインホース接続具の平面図。
【図４】図２の矢印ＩＶ方向（筒部の軸長方向）から見た平面図。
【図５】図３のＶ−Ｖ線で切断した断面図。
【図６】図４のＶＩ−ＶＩ線で切断した断面図。ただし、下方部を省略している。
【図７】同ドレインホース接続具の筒部に２本のドレインホースを差し込んだ状態を筒部の軸長方向から見た平面図。
【図８】蓋部材の斜視図。
【図９】排水処理部材にドレインホース接続具を取付け且つドレインホース接続具に２本のドレインホースを差し込んだ状態の排水処理構造を示す参考斜視図。
【図１０】図９のＸ−Ｘ線で切断した断面図。
【図１１】図９のＸＩ−ＸＩ線で切断した断面図。
【図１２】ドレインホース接続具に１本のドレインホースを折り曲げて差し込んだ状態の排水処理構造を示す参考斜視図。
【図１３】図１２のＸＩＩＩ−ＸＩＩＩ線で切断した断面図。
【図１４】図１２のＸＩＶ−ＸＩＶ線で切断した断面図。
【図１５】他の実施形態に係る蓋部材の斜視図。
【図１６】図１５の蓋部材を分割した状態を示す斜視図。
【図１７】ドレインホース接続具に１本のドレインホースを折り曲げて差し込み、さらに、第１挿入空間の上方の開口を蓋部材の分割体で塞いだ状態の排水処理構造を示す参考斜視図。
【図１８】更なる他の実施形態に係る蓋部材の斜視図。
【図１９】ドレインホース接続具に１本のドレインホースを折り曲げて差し込み、さらに、第１挿入空間の上方の開口を蓋部材で塞いだ状態の排水処理構造を示す断面図。
【図２０】他の実施形態に係る排水処理部材の断面図。ただし、図２０は、その他の実施形態の排水処理部材が床面に取り付けられ、且つ、図９のＸ−Ｘ線と同様の箇所で切断した状態で表している。
【発明を実施するための形態】
【００１８】
本発明の実施形態について、図面を参照しつつ説明する。
図１乃至図６において、本発明のドレインホース接続具１は、可撓性を有するドレインホースを軸長方向にそれぞれ挿入脱可能な第１及び第２挿入空間２１，２２を有する一方開口型の筒部２と、前記ドレインホースからの水を排水処理部材側へと導く本体部であって前記排水処理部材に取付けられる本体部３と、を有する。
前記筒部２は、ドレインホースを２本束ねて挿入脱可能な大きさに形成され、その筒部２の内周面２ｄには、前記ドレインホースの外周面に食い込むリブ部５が少なくとも１つ突設されている。
【００１９】
具体的には、筒部２は、その下端が本体部３に固着され且つ本体部３から上側に立ち上がっており、その上端が開放された、所定の肉厚（例えば、肉厚０．５ｍｍ〜２ｍｍ）の筒状体からなる。
【００２０】
本体部３は、床面に施工される設置部３１と、前記設置部３１の一方の端部から突設された接続部３２と、を有する。
設置部３１は、幅方向中央部が厚肉状に盛り上がった略薄板状に形成されている。接続部３２は、排水処理部材に接続する部分であり、設置部３１よりも幅狭且つ薄肉状に形成されている。
接続部３２の一方の端部には、排水処理部材に繋がる第１導水口３２１が形成され、且つ、接続部３２の他方の端部には、筒部２内における設置部３１の上面３１ａに繋がる第２導水口３２２が形成されていると共に、接続部３２の内部には、前記２つの導水口３２１，３２２を連通する貫通路３２３が形成されている。
【００２１】
前記筒部２の下端は、本体部３の設置部３１の上面３１ａに一体化されている。従って、設置部３１の上面３１ａが、筒部２の下方の開口を閉塞している。ただし、設置部３１の上面３１ａと筒部２の下端の一部との間には、前記接続部３２の第２導水口３２２が開口されている。
【００２２】
本体部３において、筒部２に保持されたドレインホースから出るドレイン水は、筒部２内の設置部３１の上面３１ａに流れ、その後、第２導水口３２２、貫通路３２３、第１導水口３２１の順に流れていき、排水処理部材へと導かれる。つまり、本体部３は、設置部３１の中央部から接続部３２の一端側へとドレイン水を導く部分であると共に、排水処理部材への連結部分でもある。
このような本体部３の水の導き方向は、設置部３１から接続部３２へ至る方向であり、この方向は、設置部３１から排水処理部材へ至る方向とも言える。
【００２３】
図１１に示すように、設置部３１の下面３１ｂは、床面Ａに対して略平行となるように形成されている。好ましくは、設置部３１の上面３１ａ及び下面３１ｂは、床面Ａに対して略平行となるように形成されている。
筒部２は、設置部３１の上面３１ａに対して、略鉛直に延設されていてもよいが、本体部３の設置部３１の上面３１ａに対して少し傾斜した上斜めに延設されていることが好ましい。つまり、筒部２の軸長方向が設置部３１の上面３１ａに対して少し傾斜するように、筒部２が延設されていることが好ましい。
【００２４】
このように筒部２が設置部３１の上面３１ａに対して傾斜して立ち上がっていることにより、図１１に示すように、２本のドレインホース９１，９２を筒部２の軸長方向に差し込んだ際、そのドレインホース９１，９２の開口部９１ａ，９２ａの周囲の一部が設置部３１の上面３１ａに接する。つまり、ドレインホース９１，９２の開口部９１ａ，９２ａの周囲全体が、設置部３１の上面３１ａに接することがない。このため、ドレインホース９１，９２の開口部９１ａ，９２ａが設置部３１の上面３１ａによって塞がれることがなく、ドレイン水が妨げられることなく設置部３１の上面３１ａから貫通路３２３へと導かれる。
【００２５】
さらに、前記筒部２は、図２に示すように、前記本体部３の水の導き方向とは反対方向に傾いて立ち上がっていることが好ましい。
筒部２が水の導き方向とは反対方向に傾いていることにより、図１１に示すように、筒部２に差し込まれたドレインホース９１，９２の開口部９１ａ，９２ａが、第２導水口３２２に対向するので、ドレイン水が第２導水口３２２にさらに流れ込み易くなる。
【００２６】
筒部２の傾斜角度α（図５参照）は、特に限定されないが、余りに小さいと、ドレインホースを筒部２に挿入し難くなる。このような観点から、筒部２の傾斜角度αは、４５度以上９０度未満が好ましく、さらに、６０度以上８５度未満がより好ましい。
ただし、前記筒部２の傾斜角度αは、筒部２の軸長方向と設置部３１の上面３１ａとの成す角度を意味する。
【００２７】
筒部２は、本体部３の水の導き方向に２本のドレインホースを並べて保持できる筒形状とされており、筒部２内には、１つのドレインホースを挿入脱する第１挿入空間２１ともう１本のドレインホースを挿入脱する第２挿入空間２２とが水の導き方向に並んで配置されている。つまり、筒部２内に２本のドレインホースを保持した際、ドレインホースの開口部が本体部３の水の導き方向上に並んで配置されるように、筒部２は形成されている。
また、前記筒部２は、筒部２内に１本のドレインホースの下端部を折り曲げ、その下端部を前記第１挿入空間２１及び第２挿入空間２２に跨がって挿入脱可能に形成されている。
【００２８】
筒部２の内周面２ｄの周長は、ドレインホースを２本束ねたものの外周長さＬ（図７の二点鎖線で示す）よりも大きい。従って、仮にリブ部５が突設されていない筒部においては、そこに２本のドレインホースを出し入れすることができる。前記筒部２の内周面２ｄの周長は、後述するリブ部５を除いた、筒部２の内周面２ｄの周長に相当する。
【００２９】
筒部２の内周面２ｄは、その軸長方向から見ると、図４に示すように、例えば、水の導き方向を長手とする略長方形状に形成されており、向かい合った一対の長手面２ａ，２ａ及び短手面２ｂ，２ｂからなる。なお、長手面２ａと短手面２ｂの境界部分は、円弧状であるが、その長手面２ａと短手面２ｂが直交状に構成されていてもよい（図示せず）。
【００３０】
その略長方形状の筒部２の内周面２ｄは、その長手方向（水の導き方向）の内寸Ｘ（向かい合う短手面２ｂ，２ｂ間の最短長さＸ）が、ドレインホースの外径（外周面おける直径）の２倍よりも長い、又は、その外径の２倍と同等であり、その短手方向（幅方向）の内寸Ｙ（向かい合う長手面２ａ，２ａ間の最短長さＹ）が、ドレインホースの外径よりも長い、又は、その外径と同等である。
筒部２の内周面２ｄの長手方向の内寸Ｘは、例えば、ドレインホースの外径×２の１．００倍以上であり、好ましくはその外径×２の１．００倍を超え、より好ましくはその外径×２倍の１．０５倍以上であり、特に好ましくはその外径×２倍の１．１０倍以上である。筒部２の内周面２ｄの短手方向の内寸Ｙは、例えば、ドレインホースの外径の１．００倍以上であり、好ましくはその外径の１．００倍を超え、より好ましくはその外径の１．０５倍以上であり、特に好ましくはその外径の１．１０倍以上である。前記のような各内寸であれば、筒部２内にドレインホースを差し込む際に、ドレインホースの下端が筒部２の上縁に引っ掛かり難くなる。
【００３１】
一方、前記筒部２の内周面２ｄの各内寸が、それぞれ余りに長すぎると、ドレインホースを保持するためのリブ部５の突出量を大きくしなければならず、リブ部５又は／及びドレインホースが破損する蓋然性が高くなる。
このような点から、筒部２の内周面２ｄの長手方向の内寸Ｘは、例えば、ドレインホースの外径×２の１．５倍以下であり、好ましくはその外径×２の１．４５倍以下であり、より好ましくはその外径×２の１．３５倍以下であり、特に好ましくはその外径×２の１．２５倍以下である。また、筒部２の内周面２ｄの短手方向の内寸Ｙは、例えば、ドレインホースの外径の１．５倍以下であり、好ましくはその外径の１．４５倍以下であり、より好ましくはその外径の１．３５倍以下であり、特に好ましくはその外径の１．２５倍以下である。
【００３２】
具体的な寸法では、例えば、一般的に使用されている外径１８ｍｍ〜２１ｍｍのドレインホースを用いる場合には、筒部２の内周面２ｄの長手方向の内寸Ｘは、例えば、３２ｍｍ〜６４ｍｍの範囲、好ましくは３３．６ｍｍ〜５９．４ｍｍの範囲に設定され、より好ましくは３９．６ｍｍ〜５２．５ｍｍの範囲に設定される。また、前記ドレインホースを用いる場合、筒部２の内周面２ｄの短手方向の内寸Ｙは、例えば、１６ｍｍ〜３２ｍｍの範囲、好ましくは１６．８ｍｍ〜２９．７ｍｍの範囲に設定され、より好ましくは１９．８ｍｍ〜２６．３ｍｍの範囲に設定される。
【００３３】
筒部２の高さは、特に限定されないが、余りに短いとドレインホースの保持効果が低下する。このような点から、筒部２の高さは、例えば、１ｃｍ以上であり、好ましくは１．５ｃｍ以上である。一方、筒部２が長くてもドレインホースの保持に支障を来さないが、取扱い性などを考慮すると、筒部２の高さは、６．５ｃｍ以下が好ましい。
ただし、前記筒部２の高さは、設置部３１の上面３１ａから筒部２の上縁までの軸長方向の長さに相当し、その長さが一定でない場合（例えば、図２に示すような場合など）には、その中で最小の長さに相当する。
【００３４】
前記筒部２の内周面２ｄには、リブ部５が内側に向かって突設されている。
前記リブ部５は、筒部２の軸長方向に延びる長状の突部である（換言すると、リブ部５は、内側に向かって突設された突部が軸長方向に連続した、細長い突部である）。好ましくは、図示したように、リブ部５は、筒部２の上方部から設置部３１の上面３１ａに至るまで延びる長状の突部である。
【００３５】
前記リブ部５は、筒部２に差し込まれたドレインホースに食い込み、ドレインホースが筒部２から容易に抜け出ないように保持する機能を有する。つまり、上述のように、筒部２の内周面２ｄは、２本のドレインホースを束ねた状態で出し入れ可能な大きさに形成されているが、リブ部５を設けることにより、筒部２に差し込まれたドレインホースの外周面がリブ部５に食い込むので、リブ部５によってドレインホースを筒部２に挿入後に保持することができる。
【００３６】
なお、筒部２の内周面２ｄの周長を、ドレインホースを２本束ねたものの外周長さＬよりも若干小さくすれば、差し込まれたドレインホースが筒部２の内周面２ｄに密着するので、筒部２内にドレインホースを保持できるが、この場合、ドレインホースを筒部２に差し込む作業が極めて難しくなる場合がある。
一方、差し込む作業を容易にするために、筒部２の内周面２ｄの周長を前記外周長さＬよりも大きくし過ぎると、差し込まれたドレインホースが抜け易くなる。
本発明においては、筒部２の内周面２ｄの一部に、軸長方向に延びるリブ部５を設けることにより、ドレインホースの差し込み作業及び取り外し作業を比較的容易にしつつ、ドレインホースの不用意な抜け出しを防止している。
【００３７】
前記リブ部５は、筒部２の内周面２ｄに、少なくとも１つ設けられていればよい。例えば、リブ部５が１つだけ設けられている場合であっても、そのリブ部５の存在によって、ドレインホースが差し込まれる筒部２の有効空間が狭くなり、ドレインホースを筒部２内に保持できるようになる。
【００３８】
好ましくは、リブ部５は、独立して複数（２以上）設けられる。リブ部５が複数設けられる場合、筒部２に差し込まれる２本のドレインホースのそれぞれに、少なくとも１つのリブ部５が食い込むような位置に、各リブ部５が設けられていることが好ましい。
例えば、第１挿入空間２１に対応して少なくとも１つのリブ部５が設けられ且つ第２挿入空間２２に対応して少なくとも１つのリブ部５が設けられる。
【００３９】
例えば、前記略長方形状の筒部２の向かい合う一対の短手面２ｂ，２ｂのそれぞれに、ドレインホースに食い込むような位置に、少なくとも１つのリブ部５が設けられ、或いは、前記略長方形状の筒部２の向かい合う一対の長手面２ａ，２ａのそれぞれに、ドレインホースに食い込むような位置に、少なくとも１つのリブ部５が設けられる。
【００４０】
好ましくは、リブ部５は、略長方形状の筒部２の向かい合う短手面２ｂ，２ｂ及び向かい合う長手面２ａ，２ａのそれぞれに、ドレインホースに食い込むような位置に、少なくとも１つのリブ部５が設けられる。
より好ましくは、第１挿入空間２１に対応して少なくとも３つのリブ部５が設けられ且つ第２挿入空間２２に対応して少なくとも３つのリブ部５が設けられる。かかる３つのリブ５は、第１及び第２挿入空間２１，２２にそれぞれ挿入されるドレインホースの軸芯回りの３方からその外周面に食い込むように配置される。
【００４１】
また、全てのリブ部５の突出量は同じでもよいし、或いは、一部のリブ部５の突出量が異なっていてもよいし、或いは、全てのリブ部５の突出量が互いに異なっていてもよい。
さらに、リブ部５の突出量は、その上方から下方まで同じでもよいし（つまり、１つのリブ部について、その突出量が一定であってもよい）、或いは、リブ部５の突出量が上方から下方までの間で異なっていてもよい。
なお、リブ部５の突出量は、筒部２の内周面２ｄからリブ部５の突出頂部５ｄまでの長さに相当する。例えば、筒部２の下方側におけるリブ部５の突出度合いが筒部２の上方側における突出度合いよりも大きいというような、前記長さがリブ部５の全体に亘って一定でない場合には、リブ部５の突出量は、その中で最大の長さに相当する。
【００４２】
図１、図３などの図示例では、リブ部５は、突出量の大きい第１リブ部５１と、前記第１リブ部５１よりも突出量の小さい第２リブ部５２及び第３リブ部５３と、を含んでいる。さらに、第２リブ部５２と第３リブ部５３は、突出量が同じであるが、突出頂部５ｄの幅が異なっている。
【００４３】
第１リブ部５１乃至第３リブ部５３は、図４乃至図６などに示すように、下方に向かうに従って、その突出量が極僅かに大きくなった領域を有する。第１リブ部５１乃至第３リブ部５３の各突出頂部５ｄは、下方に向かうに従って徐々に突出量が僅かに大きくなる傾斜面を有し、この傾斜面は平滑面であることが好ましい。特に、第１リブ部５１乃至第３リブ部５３の各突出頂部５ｄは、その全体が前記傾斜面とされていることがより好ましい。つまり、各リブ部５の上端部から下端部（設置部３１の上面３１ａまで）にかけて傾斜面とされていることがより好ましい。
【００４４】
これら向かい合う一対の第１リブ部５１，５１、向かい合う一対の第２リブ部５２，５２及び向かい合う一対の第３リブ部５３，５３の各突出頂部５ｄ，５ｄ間の間隔は、それぞれ下方に向かうに従って僅かに小さくなっている。
前記のように下方に向かうに従い僅かに内側に寄る傾斜面とされていることにより、その傾斜面であるリブ部５の突出頂部５ｄを滑らせながらドレインホースを食い込ますことができ、ドレインホースの差し込み且つ固定作業がさらに容易になる。
【００４５】
前記第１リブ部５１の突出量は、例えば、第２リブ部５２及び第３リブ部５３の突出量の１倍を超え１．２倍以下である。
筒部２の内周面２ｄには、例えば、２つの第１リブ部５１と、４つの第２リブ部５２と、２つの第３リブ部５３と、が設けられている。第１リブ部５１は、筒部２の内周面２ｄの向かい合う長手面２ａ，２ａの略中央位置にそれぞれ設けられている。第２リブ部５２は、筒部２の長手面２ａ，２ａの、前記第１リブ部５１の両側近傍位置に、２つずつそれぞれ設けられている。第３リブ部５３、筒部２の向かい合う短手面２ｂ，２ｂの略中央位置にそれぞれ設けられている。
具体的な寸法では、図４に示すように、第１リブ部５１の側端から第２リブ部５２の側端までの間Ｗが７ｍｍ以内となるように、前記長手面２ａの第２リブ部５２が設けられる。
【００４６】
図７に示すように、１本のドレインホース９１は、筒部２の約半分に差し込まれ、残る１本のドレインホース９２は、筒部２の残り半分に差し込まれる。２本のドレインホースを差し込んだ際、それぞれのドレインホースの外周面に、長手面２ａから向かい合って突設された第２リブ部５２，５２及び短手面２ｂから突設された第３リブ部５３が食い込み、筒部２内に２本のドレインホースが水の導き方向に並んで保持される。
【００４７】
第１リブ部５１乃至第３リブ部５３が上記のように配置されている本実施形態においては、１本のドレインホースの軸芯Ｏを中心として、前記長手面２ａの第２リブ部５２と短手面２ｂの第３リブ部５３とを結んで成す角の角度βは、９０度を超え１６０度未満の範囲内であり、好ましくは、１００度以上１３５度以下の範囲内である。前記角度βは、第２リブ部５２および第３リブ部５３の各突出頂部５ｄにおける幅方向の中間点を基準とする。
この角度が小さすぎても、大きすぎても２つの第２リブ部５２，５２が共にドレインホースに当接することが難しくなり、ドレインホースを保持する効果が低下する。
【００４８】
このように１本のドレインホースの外周面に対して、３方から食い込むようにリブ部５が配置されていることにより（長手面２ａの一対の第２リブ部５２，５２と短手面２ｂの第３リブ部５３）、ドレインホースを筒部２の約半分に対して真っ直ぐ差し込むことができる。
【００４９】
長手面２ａの略中央位置から内側に突設された２つの第１リブ部５１，５１の突出頂部５ｄは、向かい合っている（つまり、２つの第１リブ部５１は、短手方向と平行な仮想直線上にある）。２つの第１リブ部５１，５１の突出頂部５ｄの間の長さは、ドレインホースの外径よりも短いことが好ましく、ドレインホースの外径の０．８５倍〜０．９７倍がより好ましい。
具体的な寸法では、前記２つの第１リブ部５１，５１の突出頂部５ｄの間の長さは、例えば、外径１８ｍｍのドレインホースの場合には、１５．３ｍｍ〜１７．５ｍｍに設定される。
【００５０】
前記２つの第１リブ部５１，５１の突出頂部５ｄの間の長さがドレインホースの外径よりも短くされていることにより、筒部２の第１及び第２挿入空間２１，２２に跨がって１本のドレインホースを曲げた状態で挿入した際に、そのドレインホースの外周面に第１リブ部５１，５１が食い込むようになる。
なお、長手面２ａに設けられ且つ向かい合う一対の第２リブ部５２，５２の突出頂部５ｄの間隔は、ドレインホースの外径よりも短いことが好ましく、ドレインホースの外径の０．９０倍〜０．９７倍がより好ましい。
具体的な寸法では、前記２つの第２リブ部５２，５２の突出頂部５ｄの間の長さは、例えば、外径１８ｍｍのドレインホースの場合には、１６．０ｍｍ〜１７．５ｍｍに設定される。
【００５１】
前記各リブ部５の幅は特に限定されず、適宜設定できる。全てのリブ部５の突出頂部５ｄの幅Ｔは、同じでもよいし、或いは、一部のリブ部５の突出頂部５ｄの幅Ｔが異なっていてもよいし、或いは、全てのリブ部５の突出頂部５ｄの幅Ｔが互いに異なっていてもよい。
【００５２】
図示例では、長手面２ａに設けられた２つの第１リブ部５１，５１及び４つの第２リブ部５２，５２，５２，５２は、その幅が、短手面２ｂに設けられた２つの第３リブ部５３，５３の幅よりも大きい。短手面２ｂに設けられた第３リブ部５３の突出頂部５ｄの幅を大きくし過ぎると、ドレインホースを中央方向に押す力が強くなり過ぎて、中央で２つのホースを強く押し合わせることなって好ましくない。一方、長手面２ａに設けられた向かい合う第２リブ部５２，５２は、２つのドレインホースを押し合わせることがないので、前記のような不都合は生じない。長手面２ａの第２リブ部５２及び第１リブ部５１の突出頂部５ｄの幅を大きくすれば、ドレインホースをしっかりと固定することができる。つまり、これらの幅に差をつけることによって、２つのドレインホースの位置が安定することとなる。
【００５３】
例えば、長手面２ａに設けられた第１リブ部５１及び第２リブ部５２の突出頂部５ｄの幅は、短手面２ｂに設けられた第３リブ部５３の突出頂部５ｄの幅の１．５倍〜２．５倍であることが好ましい。
具体的な寸法では、長手面２ａに設けられた第１リブ部５１及び第２リブ部５２の突出頂部５ｄの幅は、２ｍｍであり、短手面２ｂに設けられた第３リブ部５３の幅は、１ｍｍである。
【００５４】
一般に、リブ部５の幅を比較的大きくすると、ドレインホースとリブ部５の突出頂部５ｄとの接触面積が増すので、ドレインホースが抜け難くなるが、反面、ドレインホースを差し込み難くなる。この点、上記のように短手面２ｂの各リブ部５の幅を小さくすることにより、長手面２ａのリブ部５でドレインホースの抜け止め効果を奏しつつ、差し込み難さを緩和することができる。
【００５５】
また、各リブ部５の、前記筒部２の上端開口部側における上端部５ａは、図５及び図６に示すように、外から内に向かって斜め下がりに傾斜した傾斜面とされていることが好ましい。このようにリブ部５の上端部５ａを傾斜面とすることにより、ドレインホースを差し込む際、ドレインホースの下端がリブ部５に引掛かり難くなり、ドレインホースをスムースに筒部２内に差し込むことができる。
【００５６】
なお、図８は、筒部２の上端開口部を塞ぐ、蓋部材７を示している。この蓋部材７は、筒部２の上端開口部を覆うための上部７１と、筒部２の外部側面に当接して蓋部材７の位置ずれや抜け落ちを防ぐ側部７２と、からなる。
この蓋部材７は、筒部２の上端に外嵌することにより、筒部２に取り付けられる。ドレインホース接続具１を床面に施工した後、ドレインホースを差し込むまでの間が比較的長期間であると、筒部２内にゴミなどが入り込むおそれがある。蓋部材７は、ドレインホースを差し込むまでの間、筒部２にゴミ、埃、虫などが入り込むことを防止するために、必要に応じて使用される。
【００５７】
ドレインホース接続具１及び蓋部材７は、任意の適切な形成材料で形成される。一般的には、ドレインホース接続具１及び蓋部材７は、例えば、ＡＢＳ樹脂、スチレン樹脂、アクリル樹脂等の硬質の合成樹脂の成形品から構成される。
【００５８】
次に、上記ドレインホース接続具１の使用例を説明する。
図９は、床面に構築された排水処理構造を示す一部省略の参考斜視図である。
この排水処理構造１０は、床面Ａに敷設された排水処理部材８と、前記排水処理部材８に取り付けられたドレインホース接続具１と、を有する。なお、符号Ｃは、床面Ａに敷設された床シート材を示す。
前記ドレインホース接続具１にドレインホース９１，９２が取り付けられることにより、ドレインホース９１，９２から流れ出るドレイン水が、排水処理部材８を通じて側溝などの所定の箇所に導かれる。
【００５９】
床面Ａは、例えば、マンションやベランダなどの構造物の共同廊下などが例示できるが、これに限定されるわけではない。
前記排水処理部材８は、上から見ると細長い、長状の部材である。排水処理部材８は、例えば、その長手方向一端部が構造物の壁面の近傍に位置し、且つその長手方向他端部が排水路Ｂに至るように、床面Ａを横切って敷設されている。
この排水処理部材８の一端部に、前記ドレインホース接続具１が取り付けられる。そのドレインホース接続具１の筒部２には、ドレインホース９１，９２の一端部が差し込まれて取り付けられ、ドレインホース９１，９２の他端部は、通常、空調機の室外機（図示せず）などに接続されている。
【００６０】
ドレインホース９１，９２は、適度な可撓性と弾性を有することが好ましく、例えば、塩化ビニルやゴムなどの高分子製のチューブ状成形品、金属製のチューブ成形品などから形成されている。また、本発明に用いられるドレインホース９１，９２の形状は、外周面が平滑な曲面状でもよいが、各図で示したような、コルゲート状（周方向に凹設された谷部が長手方向に所定間隔を開けて形成されている蛇腹の如き形状）が好ましい。コルゲート状のドレインホース９１，９２は、蛇腹の如き形状によって変形に対する復元力が強いので、その復元力によって本発明のドレインホース接続具１に設けられたリブ部５に、より強固に係合するので、筒部２から不用意に抜け難くなる。
【００６１】
図１０は、図９のＸ−Ｘ線で切断した、排水処理部材、床面Ａ及び床シート材Ｃの断面図を示す。
排水処理部材８は、細長い凹状の溝部８１と、この溝部８１材の凹状の上部を塞ぐ蓋部８２と、を有する。
溝部８１は、その下面が床面Ａに接着され且つ上面がドレイン水の通路となる底壁８１１と、その底壁８１１の短手方向両側において上方に立設された両側壁８１２，８１２と、を有する。底壁８１１及び両側壁８１２，８１２は、長手方向に延びる。底壁８１１と両側壁８１２，８１２とから溝部８１は凹状を成している。
【００６２】
溝部８１の一方の側壁８１２に、蓋部８２の一方の側端部８２ａが連結されている。溝部８１の他方の側壁８１２の上端部内側には、嵌入用溝８１３が形成されている。この嵌入用溝８１３は、溝部８１の長手方向全体に亘って形成されている。この嵌入用溝８１３には、蓋部８２の他方の側端部８２ｂが嵌入脱可能である。
【００６３】
蓋部８２は、溝部８１の上方部を覆う長尺状の板状体であり、溝部８１の長手方向全体に亘って形成されている。蓋部８２の他方の側端部８２ｂを嵌入用溝８１３に嵌入することにより、蓋部８２と溝部８１との間に所定の間隔を有した状態で、溝部８１の上方部が閉じられる。
この溝部８１の底壁８１１と蓋部８２の下面の間が、ドレイン水の通路となる。
蓋部８２の他方の側端部８２ｂを嵌入用溝８１３から外し、且つ一方の側端部８２ａを支点にして蓋部８２を曲げながら上方へ捲ることにより、溝部８１の底壁８１１の上方部を開放できる。このように蓋部８２を開くことにより、溝部８１の底壁８１１上に溜まったゴミや水垢などを清掃することができる。
【００６４】
排水処理部材８の形成材料は、特に限定されない。もっとも、上述のように蓋部８２を曲げながら開け得るようにするため、排水処理部材８は、弾性を有する材料で形成されていることが好ましい。弾性を有する材料としては、特に限定されず、軟質ポリ塩化ビニル系樹脂、軟質ポリエチレン系樹脂、熱可塑性エラストマー、各種ゴム、これらの混合材料、または、これらと他の樹脂とを混合した混合材料などが挙げられる。
【００６５】
なお、上記排水処理部材８は、蓋部８２の一方の側端部８２ｂが溝部８１に連結され且つ蓋部８２の他方の側端部８２ｂが自由端とされた片開き構造であるが、この構造に限定されず、例えば、蓋部８２を溝部８１に対して完全に分離できる独立構造でもよいし、或いは、蓋部８２と溝部８１が一体的に形成された扁平環構造でもよい。
【００６６】
この排水処理部材８の他端部における蓋部８２と底壁８１１の間に、ドレインホース接続具１の接続部３２を嵌入し、接続部３２の下面を溝部８１の底壁８１１上に載せ、ドレインホース接続具１の設置部３１の下面３１ｂを床面Ａに固定することにより、図９に示すような、排水処理構造が構築される。
【００６７】
このドレインホース接続具１の管部に、２本のドレインホース９１，９２を差し込む。管部の内周面２ｄに設けられた長状のリブ部５は、管部の軸長方向と略平行に延びているので、リブ部５に食い込んだドレインホース９１は、リブ部５に案内されて、軸長方向と略平行に進んでいく。このように、本発明のリブ部５は、ドレインホースを差し込む際のガイドとしても機能する。このため、それぞれのドレインホース９１，９２を筒部２に差し込み易く、さらに、ドレインホース９１，９２をそれぞれ筒部２に対して真っ直ぐ差し込むことができるので、筒部２に２本のドレインホース９１，９２を比較的簡単に差し込むことができる。
差し込まれたドレインホース９１，９２の外周面には、リブ部５が食い込んでいるので、ドレインホース９１，９２が不用意に抜け出ることを防止できる。
【００６８】
ドレインホース９１，９２から流れ出るドレイン水は、本体部３の設置部３１の上面３１ａから接続部３２の貫通路３２３を通じて、排水処理部材８に流れていく。
【００６９】
一方、室外機を移転する場合などのように、ドレインホース９１，９２を筒部２から取り外したい場合には、差し込まれたドレインホース９１，９２を軸方向に沿って上方に引っ張り筒部２から引き抜くことができる。
上記特許文献１のドレインホース接続具は、長状突起がドレインホースの周方向に延びる谷部に食い込んでいるので、そのドレインホースを軸方向に沿って上方に引き抜いても、ドレインホースの谷部に対する長状突起の係合が外れ難く、あまり強く引きすぎると長状突起かドレインホースが破損するおそれがある。これに対して、本発明のドレインホース接続具１は、リブ部５が軸長方向に延びているので、ドレインホースを軸方向に沿って上方に引っ張ると、ドレインホースの外周面がリブ部５の突出頂部５ｄ上を滑り、リブ部５やドレインホースが破損することなく、ドレインホースを筒部２から引き抜くことができる。
【００７０】
また、本発明のドレインホース接続具１は、１本のドレインホースを筒部２内に保持させることもできる。
具体的には、図１２乃至図１４に示すように、１本のドレインホース９３の下端部９３ｂを折り曲げ、ドレインホース９３の開口部９３ａが第２導水口３２２に対向し且つ折り曲げたドレインホース９３の下端部９３ｂの外周面が設置部３１の上面３１ａに沿うようにして、ドレインホースを筒部２に差し込む。換言すると、折り曲げたドレインホースの下端部９３ｂを水の導き方向にほぼ沿うようにして、ドレインホース９３を筒部２に差し込む。
【００７１】
差し込まれたドレインホース９３の下端部は、筒部２内の第１及び第２挿入空間２１，２２に延在し、筒部２の全てのリブ部５によって保持される。特に、筒部２の長手面２ａに向かい合って設けられた第１リブ部５１の間隔は、ドレインホース９３の外径よりも小さいので、折り曲げたドレインホース９３の下端部９３ｂの外周面に、第１リブ部５１が強く食い込む。このため、折り曲げられたドレインホース９３が不用意に抜け出ることを防止できる。
【００７２】
このように１本のドレインホース９３を折り曲げて差し込むと、筒部２内の設置部３１の上面３１ａがドレインホース９３によってほぼ塞がれるので、筒部２内における設置部３１の上面３１ａにゴミ、埃、虫などが溜まることを抑制できる。それ故、本発明のドレインホース接続具１を用いることにより、排水処理部材８内のドレイン水の通路が前記ゴミなどによって詰まることを防止し、ドレイン水を排水路Ｂへ長期間確実に導くことができる。
【００７３】
また、本発明のドレインホース接続具１によれば、図１４に示すように、折り曲げたドレインホース９３が第２挿入空間２２の上方から出るようにそれを差し込むことにより、１本のドレインホース９３の開口部９３ａを第２導水口３２２に対向させることができる。従って、そのドレインホース９３からのドレイン水を接続部３２の貫通路３２３に円滑に導くことができ、ドレイン水を排水処理部材８に流すことができる。
【００７４】
なお、上記実施形態において例示した蓋部材７に代えて、下記のような様々な蓋部材を用いることもできる。
図１５に示す蓋部材７は、図８に示す蓋部材７と同様に、上部７１と側部７２とを有する。この蓋部材７の長手方向中央部においてその短手方向に延びる溝部７３が前記上部７１及び側部７２に跨がって形成されている。前記溝部７３は、例えば、略Ｖ字状又は略Ｕ字状に凹設された長状の切込み溝である。この図１５に示す蓋部材７は、図８に示す蓋部材７と同様に、ドレインホース接続具１を床面に施工した後、それにドレインホースを差し込むまでの間、筒部２にゴミ、埃、虫などが入り込むことを防止するために、必要に応じて使用される。
【００７５】
また、図１５に示す蓋部材７は、溝部７３に従って容易に切断できる。図１６は、図１５の蓋部材７を溝部７３において切断した後の一対の分割体７９１，７９２を示す。本発明においては、上記実施形態で説明したように、折り曲げた１本のドレインホース９３によって筒部２の開口がほぼ塞がれるので、排水処理部材８内のドレイン水の通路がゴミなどによって詰まることを効果的に防止できるが、折り曲げた１本のドレインホース９３を筒部２に差し込んだ際、筒部２の第１挿入空間２１の上方が開口されたままになっているので、折り曲げたドレインホース９３の下端部９３ａの上方にゴミなどが付着するおそれがある。
【００７６】
この場合、図１７に示すように、前記分割体７９１，７９２のいずれか一方を、第１挿入空間２１の上方における筒部２の上端に被せることにより、前記開口を塞いで、筒部２内のドレインホース９３の下端部９３ａの上方にゴミなどが付着することを防止できる。
尚、蓋部材は、図１６に示すような分割体７９１，７９２に分離した形で提供してもよい。この場合、ドレインホースを差し込むまでの間は、分割体７９１，７９２の両方を筒部２の上端に被せて前記筒部２の開口を塞いでおき、ドレインホースを１本のみ差し込んだ際に、図１７に示すように、一方の分割体７９１を、第１挿入空間２１の上方における筒部２の上端に被せることにより、前記開口を塞ぐようにする。
【００７７】
図１８に示す蓋部材７は、図８に示す蓋部材７と同様に、上部７１と側部７２とを有する。この蓋部材７の長手方向中央部においてその短手方向に延びる溝部７４が前記上部７１に形成され、さらに、その溝部７４の両端部の近傍において、略Ｖ字状の切り欠き部７５が側部７２に設けられている。この図１８に示す蓋部材７は、図８に示す蓋部材７と同様に、ドレインホース接続具１を床面に施工した後、それにドレインホースを差し込むまでの間、筒部２にゴミ、埃、虫などが入り込むことを防止するために、必要に応じて使用される。
【００７８】
また、図１８に示す蓋部材７は、溝部７４をヒンジ部として、簡単に屈曲させることができる。折り曲げたドレインホース９３の下端部９３ａの上方にゴミなどが付着することを防止するために、図１８に示す蓋部材７を溝部７４で折り曲げて屈曲させ、図１９の二点鎖線で示すように、第１挿入空間２１の上方における筒部２の上端に載せてもよい。
【００７９】
さらに、上記実施形態において例示した排水処理部材８は、細長い凹状の溝部８１と、この溝部８１材の凹状の上部を塞ぐ蓋部８２と、を有するが、これに限定されず、排水処理部材８は、ドレイン水を所定の箇所に導くことができるように構成されていればよい。
例えば、図２０に示すように、蓋部を有さない排水処理部材８を使用することもできる。かかる蓋部８２を有さない排水処理部材８は、凹状の溝部８１からなる。この溝部８１は、上記実施形態と同様に、その下面が床面Ａに接着され且つ上面がドレイン水の通路となる底壁８１１と、その底壁８１１の短手方向両側において上方に立設された両側壁８１２，８１２と、を有し、その底壁８１１上の一部分にドレインホース接続具１の接続部３２が繋がれる。
【符号の説明】
【００８０】
１  ドレインホース接続具
２  筒部
３  本体部
３１  設置部
３２  接続部
５  リブ部
８  排水処理部材
９１，９２，９３  ドレインホース
【図１】
0005810420.tif 000002
【図２】
0005810420.tif 000003
【図３】
0005810420.tif 000004
【図４】
0005810420.tif 000005
【図５】
0005810420.tif 000006
【図６】
0005810420.tif 000007
【図７】
0005810420.tif 000008
【図８】
0005810420.tif 000009
【図９】
0005810420.tif 000010
【図１０】
0005810420.tif 000011
【図１１】
0005810420.tif 000012
【図１２】
0005810420.tif 000013
【図１３】
0005810420.tif 000014
【図１４】
0005810420.tif 000015
【図１５】
0005810420.tif 000016
【図１６】
0005810420.tif 000017
【図１７】
0005810420.tif 000018
【図１８】
0005810420.tif 000019
【図１９】
0005810420.tif 000020
【図２０】
0005810420.tif 000021